(57)【要約】  爪の変形や欠けを直すための修復セットは、容易に調整できるガラス繊維プリプレグ、および、変性剤を含む紫外線硬化ジェルを含む。【選択図】図１
2013502239.tif 000002
【特許請求の範囲】
【請求項１】
カット済みガラス繊維プリプレグ、および、変性剤を抑止するマトリクスジェルを備える、咬爪癖防止爪補修セット。
【請求項２】
前記ガラス繊維のカットが異なる大きさで施された、請求項１に記載の爪補修セット。
【請求項３】
前記ガラス繊維が微細にコーティングされたプリレグとして実施され、磨り減りまたは崩壊を防ぐ、請求項１または請求項２に記載の爪補修セット。
【請求項４】
前記マトリクス材がアクリル化合物からなる、請求項１に記載の爪補修セット。
【請求項５】
前記マトリクス材がポリウレタン化合物からなる、請求項１に記載の爪補修セット。
【請求項６】
前記マトリクス材が紫外線照射で急速硬化する、請求項１に記載の爪補修セット。
【請求項７】
前記マトリクス化合物がセラックまたはトウヒ樹脂を含む、請求項１に記載の爪補修セット。
【請求項８】
前記マトリクス材が、変性剤としてメチレンエチレンエセトン、および／または、石油エーテル、および／または、トリオール、および／または、シクロヘキサンを含む、請求項１に記載の爪補修セット。
【請求項９】
前記マトリクス材が、変性剤としてフタル酸ジエチレンエーテル、および／または、チモール、および／または、ジエチルエーテル、および／または、およびブタノールを含む、請求項１に記載の爪補修セット。
【請求項１０】
前記マトリクス材がイソプロパノール、および／または、安息香酸デナトニウムを含む、請求項１に記載の爪補修セット。
【発明の詳細な説明】
【技術分野】
【０００１】
本発明は爪の変形や欠けを直すための修復セットに関するもので、より正確には、咬爪癖防止手段を含むようなシステムである。
【背景技術】
【０００２】
ある人が手入れの行き届いた外見であると、それは社会的基準と価値を示すものであると考えられており、少なくとも手入れの行き届いたライフスタイルを示し、また、歴史的には、この人が厳しい手仕事を行う必要がないであろうことを示す。
【０００３】
また、バロック時代およびロココ時代の先駆者より後、特に、前世紀の「狂乱の２０年代
」以来、色つきラッカーで仕上げた爪およびエクステンションを付けた爪は流行で広まった。
【０００４】
しかし、不規則に伸びた爪または脆弱な爪を持つすべての人（男性も）は、特に、爪を維持し、念のため向上させる必要性を感じるかもしれない。
【発明の概要】
【発明が解決しようとする課題】
【０００５】
咬爪癖の傾向がある若年成人にとっては特に、見るからに噛まれている爪を見せることは、しばしば恥ずかしいことであるが、この行動をやめることは難しい。
【０００６】
このため、オフィスで働く若い女性については、特に嗜好および一貫性が異なるためにこの習慣を放すことが容易になるので、米国特許出願番号０６／７５２，６８７またはドイツ特許公開番号ＤＥ  ３６２０５６８  Ａ  １にあるように、人口爪を着ける考えが思い浮かぶ。
【０００７】
しかし、これは、しばしば、特にヨーロッパにおいては、「奇抜」すぎるとして受け入れられない。特に若い男性については、人口爪の使用が性倒錯であるとみなされる社会環境であるため、人口爪を適用することはできないようだ。
【０００８】
これらのすべての場合において、変形した爪を自然な効果のエクステンションが推奨され得る。
【０００９】
従来、爪を補修し延長するために通常適用される方法は２つある。
【００１０】
１．プラスチックまたは紙のテンプレートによる成形技法
【００１１】
これらは、指先の周りに固定され、その上にジェルが適用され、紫外線放射でテンプレートを固める。
【００１２】
テンプレートの固定成形における不利な点は、すべての種類の爪に適用することができないことである。
【００１３】
しかし、爪の正確な形にマッチしない場合は、テンプレートは簡単に滑り落ちる傾向がある。このため、材料の使用量が増え、研磨の必要性も増える。
【００１４】
２．プラスチックチップによるエクステンション
【００１５】
粘着性  −  通常は急速に固まるシアノアクリレート  −  のチップを爪の上部３分の１に装着する。
【００１６】
直された表面は接合部がほとんど見えなくなるまで削り落とされ、さらに、爪は完全にジェルで埋められる。この結果、チップは固定され堅くなり、表面の張力が上がって長手方向のひびが現れる。
【００１７】
その上、利用可能な粘着剤は、しばしば、長期間の装着において十分なホールドを提示できないことが分かっている。
【００１８】
特に第二次世界大戦後の米国では、爪のスムージング、補強およびエクステンションのために、この技法とともに相当数の他の方法が指導されている。
【００１９】
最近では、米国特許第４，２９９，同様に、２３４号、米国特許第４，４５０，８４８号、米国特許第４，８６０，７７４号、および米国特許第６，２２７，２０６号で開示されているような、完全な人工爪を使うことなく機能する２、３種類の新しいシステムが知られている。
【００２０】
しかし、おもにこれらのシステムは、特に、紫外線硬化しないシアノアクリレートまたはポリエステルのジェル、および、ポリウレタン材料製カット済みネイルフォーム等のような成形済み補助体へのアクリル系材料の適用に関する。
【００２１】
咬爪癖の問題は、他の相当数の提案でも取り組まれているが、大抵、乏しい効果しかない。通常の手段は、薬局で売られているような変性剤を含むネイルポリッシュである。
【００２２】
しかし、欠点は、爪の外見を改善しない単なる限定的な手法であるということである。
【００２３】
さらに、すべての一般的に知られている製品では、レイアップを容易に見ることができるため、こどもの同意なしに親が子供に適用することが通常制限される。
【００２４】
湿った砂を引っ掻いたとき等、簡単に除去されるので、効果が非常に一時的な傾向にあることは明らかである。
【課題を解決するための手段】
【００２５】
したがって、本発明の目的は、咬まれた爪を自然な外見にするように、目立たず個別に適合可能な仕上がりを提供するものであり、かつ、咬爪癖を非常に簡単に克服する付加的方法を提供するものである。
【００２６】
したがって、ガラス繊維布からなり、異なる種類の爪床用に成形済みである爪先用のプリプレグが提供され、チップの前面は、個別の形状や嗜好に合うよう所望の形状に容易に切断される。ガラス繊維はマトリクス材内によく埋めこまれているので、これらは後で多くの研磨を必要としない。
【００２７】
硬度および弾性が、変性剤をさらに含む紫外線硬化ジェルの塗布によって提供される。
【００２８】
これらはセラック化合物であり得るが、メチレンエチレンエセトン、石油エーテル、トリオール、シクロヘキサン、またはトウヒ樹脂のような他の手段も適用される。さらに、フタル酸ジエチレンエーテル、チモール、ジエチルエーテル、およびブタノールが、イソプロパノールまたは安息香酸デナトニウムと組み合わせて使われ得る。
【００２９】
既知の先行技術とは反対に、爪の目に見える損傷がすぐに矯正され、爪床の自然で不透明な外見が保たれながら嫌いな習慣から解放されるため、本開示による解決方法は希望者に肯定的な見通しを与える。
【００３０】
１つの主な実施形態が図１から図３に示されている。
【図面の簡単な説明】
【００３１】
【図１】まだ損傷を受けていない爪床２を持つ、典型的な咬まれた爪１を示す。
【図２】光樹脂マトリクスによって取り付けられているカット済みガラス繊維部材３、４、５を示す。
【図３】爪７の残っている部分にカット済み取り付け具６のレイアップ、および、適切な切り取り線８を示す。
【図１】
2013502239.tif 000003
【図２】
2013502239.tif 000004
【図３】
2013502239.tif 000005
【国際調査報告】
2013502239.tif 000006
2013502239.tif 000007
2013502239.tif 000008